【手続補正書】
【提出日】平成26年8月6日(2014.8.6)
【手続補正１】
【補正対象書類名】特許請求の範囲
【補正対象項目名】全文
【補正方法】変更
【補正の内容】
【特許請求の範囲】
【請求項１】
アミン末端基の酸末端基に対する比率が少なくとも１．５：１．０であるように過剰のアミン末端基を有する、１種またはそれ以上のポリアミドを含んでなる表面樹脂組成物から製造された少なくとも一部分を有する表面を有し、そして不織物構造、織物、繊維バッティングおよびそれらの組み合わせから選択される繊維材料を含んでなり、前記繊維材料が１種またはそれ以上のポリアミドを含んでなるマトリックス樹脂組成物によって含浸される複合材構造。
【請求項２】
表面を有する複合材構造の製造方法であって、
ｉ）請求項１に記載のマトリックス樹脂組成物で、請求項１に記載の不織物構造、織物、繊維バッティングおよびそれらの組み合わせから選択される繊維材料を含浸する工程を含んでなり、前記複合材構造の前記表面の少なくとも一部分が、請求項１に記載の表面樹脂組成物から製造される方法。
【請求項３】
表面を有する複合材構造の製造における、請求項１に記載の表面樹脂組成物の使用であって、
前記表面は、前記表面樹脂組成物から製造された少なくとも一部分を有し、そして請求項１に記載の不織物構造、織物、繊維バッティングおよびそれらの組み合わせから選択される繊維材料を含んでなり、前記繊維材料が、請求項１に記載のマトリックス樹脂組成物によって含浸され、
金属片への前記複合材構造の表面の固着または接着を減少させるための、あるいは自動車用、トラック用、民間航空機用、航空宇宙用、鉄道用、家庭用機器用、コンピュータハードウェア用、ハンドヘルドデバイス用、レクリエーションおよびスポーツ用の部品、機械用の構造部品、ビル用の構造部品、光起電性もしくは風力エネルギー装置用の構造部品、または機械的デバイス用の構造部品の製造、作り直しまたは修理のための、前記表面樹脂組成物の使用。
【請求項４】
ｉ）請求項１に記載の表面樹脂組成物から製造された少なくとも一部分を有する表面を有し、そして請求項１に記載の不織物構造、織物、繊維バッティングおよびそれらの組み合わせから選択される繊維材料を含んでなり、前記繊維材料が、請求項１に記載のマトリックス樹脂組成物によって含浸される第１の構成部分と、
ｉｉ）１種またはそれ以上のポリアミドを含んでなる外側被覆樹脂組成物を含んでなる第２の構成部分と、
を含んでなる外側被覆された複合材構造であって、
前記第２の構成部分が、前記第１の構成部分の前記表面の少なくとも一部分上で前記第１の構成部分に接着される、外側被覆された複合材構造。
【請求項５】
第１の構成部分上に、外側被覆樹脂組成物を含んでなる第２の構成部分を外側被覆する工程を含んでなる、外側被覆された複合材構造の製造方法であって、
前記第１の構成部分が、請求項１に記載の不織物構造、織物、繊維バッティングおよびそれらの組み合わせから選択される繊維材料を含んでなり、
前記表面が、請求項１に記載の表面樹脂組成物から製造された少なくとも一部分を有し、
そして、前記繊維材料が、請求項１に記載のマトリックス樹脂組成物で含浸される、方法。
【手続補正２】
【補正対象書類名】明細書
【補正対象項目名】００７３
【補正方法】変更
【補正の内容】
【００７３】
家庭用機器の例は、限定されないが、洗濯機、乾燥器、冷蔵庫、空気調節および暖房が含まれる。レクリエーションおよびスポーツの例には、限定されないが、インライン−スケート部品、野球バット、ホッケースティック、スキーおよびスノーボードバインディング、リュックサックバックおよびフレーム、ならびに自転車フレームが含まれる。機械用構造部品の例には、例えば、ハンドヘルド電子デバイス、コンピュータ用のハウジングなどの電気／電子機器部分が含まれる。
以下、本明細書に記載の主な発明につき列記する。
［１］
アミン末端基の酸末端基に対する比率が少なくとも１．５：１．０であるように過剰のアミン末端基を有する、１種またはそれ以上のポリアミドを含んでなる表面樹脂組成物から製造された少なくとも一部分を有する表面を有し、そして不織物構造、織物、繊維バッティングおよびそれらの組み合わせから選択される繊維材料を含んでなり、前記繊維材料が１種またはそれ以上のポリアミドを含んでなるマトリックス樹脂組成物によって含浸される複合材構造。
［２］
前記繊維材料が、ガラス繊維、炭素繊維、アラミド繊維、天然繊維またはそれらの混合物から製造される、前記［１］に記載の複合材構造。
［３］
前記１種またはそれ以上のポリアミドが、完全脂肪族ポリアミド樹脂、半芳香族ポリアミド樹脂およびそれらの混合物からなる群から独立して選択される、前記［１］または［２］に記載の複合材構造。
［４］
前記半芳香族ポリアミドが、ＰＡ  ６Ｔ、ＰＡ  ６Ｉ／６Ｔ、ＰＡ  ６Ｔ／６６、ＰＡ  ＭＸＤ６、ＰＡ  ６Ｔ／ＤＴ、ならびにそれらのコポリマーおよびブレンドからなる群から独立して選択される、前記［３］に記載の複合材構造。
［５］
前記脂肪族ポリアミド樹脂が、ＰＡ  ６、ＰＡ  １１、ＰＡ  １２、ＰＡ  ４６、ＰＡ  ６６、ＰＡ  １０、ＰＡ  ６１２、ＰＡ  １０１０、ならびにそれらのコポリマーおよびブレンドからなる群から独立して選択される、前記［３］に記載の複合材構造。
［６］
前記マトリックス樹脂組成物に含まれる前記１種またはそれ以上のポリアミドが、過剰の末端基の過剰ではない末端基に対する比率（アミン：酸または酸：アミン）が少なくとも１．５：１．０であるように、過剰の酸末端基またはアミン末端基を有する、前記［１］〜［５］のいずれか一項に記載の複合材構造。
［７］
前記マトリックス樹脂組成物および／または前記表面樹脂組成物が、さらに、１種またはそれ以上の衝撃改質剤、１種またはそれ以上の熱安定剤、１種またはそれ以上の酸化安定剤、１種またはそれ以上の強化剤、１種またはそれ以上の紫外線光安定剤、１種またはそれ以上の難燃剤あるいはそれらの混合物を含んでなる、前記［１］〜［６］のいずれか一項に記載の複合材構造。
［８］
シート構造の形態である、前記［１］〜［７］のいずれか一項に記載の複合材構造。
［９］
自動車用、トラック用、民間航空機用、航空宇宙用、鉄道用、家庭用機器用、コンピュータハードウェア用、ハンドヘルドデバイス用、レクリエーションおよびスポーツ用の部品、機械用の構造部品、ビル用の構造部品、光起電性もしくは風力エネルギー装置用の構造部品、または機械的デバイス用の構造部品の形態である、前記［１］〜［８］のいずれか一項に記載の複合材構造。
［１０］
表面を有する複合材構造の製造方法であって、
ｉ）前記［１］または前記［３］〜［７］のいずれか一項に記載のマトリックス樹脂組成物で、前記［１］または［２］に記載の不織物構造、織物、繊維バッティングおよびそれらの組み合わせから選択される繊維材料を含浸する工程を含んでなり、前記複合材構造の前記表面の少なくとも一部分が、前記［１］または前記［３］〜［５］のいずれか一項または前記［７］に記載の表面樹脂組成物から製造される方法。
［１１］
工程ｉ）の後に行われる、前記複合材構造を形成する工程ｉｉ）をさらに含んでなる、前記［１０］に記載の方法。
［１２］
表面を有する複合材構造の製造における、前記［１］または前記［３］〜［５］のいずれか一項または前記［７］に記載の表面樹脂組成物の使用であって、
前記表面は、前記表面樹脂組成物から製造された少なくとも一部分を有し、そして前記［１］または［２］に記載の不織物構造、織物、繊維バッティングおよびそれらの組み合わせから選択される繊維材料を含んでなり、前記繊維材料が、前記［１］または前記［３］〜［７］のいずれか一項に記載のマトリックス樹脂組成物によって含浸され、
金属片への前記複合材構造の表面の固着または接着を減少させるための、あるいは自動車用、トラック用、民間航空機用、航空宇宙用、鉄道用、家庭用機器用、コンピュータハードウェア用、ハンドヘルドデバイス用、レクリエーションおよびスポーツ用の部品、機械用の構造部品、ビル用の構造部品、光起電性もしくは風力エネルギー装置用の構造部品、または機械的デバイス用の構造部品の製造、作り直しまたは修理のための、前記表面樹脂組成物の使用。
［１３］
ｉ）前記［１］または前記［３］〜［５］のいずれか一項または前記［７］に記載の表面樹脂組成物から製造された少なくとも一部分を有する表面を有し、そして前記［１］〜［３］のいずれか一項に記載の不織物構造、織物、繊維バッティングおよびそれらの組み合わせから選択される繊維材料を含んでなり、前記繊維材料が、前記［１］または前記［３］〜［７］のいずれか一項に記載のマトリックス樹脂組成物によって含浸される第１の構成部分と、
ｉｉ）１種またはそれ以上のポリアミドを含んでなる外側被覆樹脂組成物を含んでなる第２の構成部分と、
を含んでなる外側被覆された複合材構造であって、
前記第２の構成部分が、前記第１の構成部分の前記表面の少なくとも一部分上で前記第１の構成部分に接着される、外側被覆された複合材構造。
［１４］
自動車用、トラック用、民間航空機用、航空宇宙用、鉄道用、家庭用機器用、コンピュータハードウェア用、ハンドヘルドデバイス用、レクリエーションおよびスポーツ用の部品、機械用の構造部品、ビル用の構造部品、光起電性もしくは風力エネルギー装置用の構造部品、または機械的デバイス用の構造部品の形態である、前記［１３］に記載の外側被覆された複合材構造。
［１５］
第１の構成部分上に、外側被覆樹脂組成物を含んでなる第２の構成部分を外側被覆する工程を含んでなる、外側被覆された複合材構造の製造方法であって、
前記第１の構成部分が、前記［１］または［２］に記載の不織物構造、織物、繊維バッティングおよびそれらの組み合わせから選択される繊維材料を含んでなり、
前記表面が、前記［１］または前記［３］〜［５］のいずれか一項または請求項７に記載の表面樹脂組成物から製造された少なくとも一部分を有し、
そして、前記繊維材料が、前記［１］または前記［３］〜［７］のいずれか一項に記載のマトリックス樹脂組成物で含浸される、方法。